(57)【要約】【課題】  複数のソーラー部を備えて受光面積を増大させても、組立作業および接続作業の簡素化を図ることができるソーラー発電装置および電子時計を提供する。【解決手段】  複数のソーラーセル２０が配列された第１ソーラー部１６と、複数のソーラーセル２１が配列され、第１ソーラー部１７に対して面方向に位置がずれた状態で、第１ソーラー部１６の下側に所定間隔Ｓを隔てて配置された第２ソーラー部１７と、複数のソーラーセル２２が配列され、第１、第２の各ソーラー部１６、１７の外周に沿って配置された第３ソーラー部１８と、を備え、第１〜第３の各ソーラー部１６〜１８を一体的に連結形成して相互に電気的に接続した。従って、第１〜第３の各ソーラー部１６〜１８の出力端子２３を一箇所に集中させることができると共に、第１〜第３の各ソーラー部１６〜１８を個別に組み付けて個別に接続する必要がなく、一度に組み付けて接続することができる。【選択図】        図２
2013195269.tif 000002
【特許請求の範囲】
【請求項１】
複数のソーラーセルが平面的に配列された第１ソーラー部と、
複数のソーラーセルが平面的に配列され、前記第１ソーラー部に対して面方向に位置がずれた状態で、前記第１ソーラー部の下側に所定間隔を隔てて配置された第２ソーラー部と、
複数のソーラーセルが配列され、少なくとも前記第２ソーラー部の外周に沿って配置された第３ソーラー部と、を備え、
前記第１〜第３の各ソーラー部を一体的に連結形成して相互に電気的に接続したことを特徴とするソーラー発電装置。
【請求項２】
請求項１に記載のソーラー発電装置において、前記第１〜第３の各ソーラー部はそれぞれフレキシブルなフィルムからなり、前記第３ソーラー部は、前記第１ソーラー部と前記第２ソーラー部との上下方向における前記所定間隔に対応する段差部を有するほぼ帯状に形成されており、
前記第１ソーラー部は、その外周部の一部が前記第３ソーラー部の長手方向に沿う辺部の前記段差部に折り曲げ可能に一体に連結形成されており、
前記第２ソーラー部は、その外周部の一部が、前記第３ソーラー部の前記辺部における前記第１ソーラー部から所定長さ離れた箇所に折り曲げ可能に一体に連結形成されていることを特徴とするソーラー発電装置。
【請求項３】
請求項１または請求項２に記載のソーラー発電装置において、前記第３ソーラー部に連結される箇所に位置する前記第２ソーラー部の外周部における一部には、前記第１〜第３の各ソーラー部におけるすべての前記ソーラーセルが電気的に接続される出力端子が設けられていることを特徴とするソーラー発電装置。
【請求項４】
請求項３に記載のソーラー発電装置において、前記第１ソーラー部には、前記第２ソーラー部の前記出力端子の上方に重なるオーバーラップ部が設けられていることを特徴とするソーラー発電装置。
【請求項５】
請求項１〜請求項４のいずれに記載のソーラー発電装置において、前記第１〜第３の各ソーラー部における各ソーラーセルは、予め定められた発電量ごとに並列に接続されていることを特徴とするソーラー発電装置。
【請求項６】
請求項１〜請求項５のいずれに記載のソーラー発電装置において、前記第３ソーラー部は、前記第２ソーラー部の外周に沿う箇所が幅広部に形成され、前記第１ソーラー部の外周に沿う箇所が幅狭部に形成され、この幅狭部の一辺部とこの一辺部に連続する幅広部の一辺部とが前記第１ソーラー部の上方に突出していることを特徴とするソーラー発電装置。
【請求項７】
請求項１に記載されたソーラー発電装置を備えていることを特徴とする電子時計。
【発明の詳細な説明】
【技術分野】
【０００１】
この発明は、電子腕時計などの電子機器に用いられるソーラー発電装置およびそのソーラー発電装置を備えた電子時計に関する。
【背景技術】
【０００２】
例えば、電子腕時計に用いられるソーラー発電装置においては、特許文献１に記載されているように、光透過性を有する文字板の下面に配置された第１ソーラー部と、この第１ソーラー部の外周に沿って配置された第２ソーラー部とを備え、この第２ソーラー部によって受光面積を増大させるように構成されたものが知られている。
【先行技術文献】
【特許文献】
【０００３】
【特許文献１】特開２０１０−７８５０７号公報
【０００４】
この種のソーラー発電装置は、第１ソーラー部と第２ソーラー部とにそれぞれ複数のソーラーセルを設け、この第１ソーラー部と第２ソーラー部とをそれぞれ別々に形成し、この第１ソーラー部をコイルばねなどの接続部材によって回路基板と電気的に接続すると共に、第２ソーラー部をリード線などの接続部材によって回路基板と電気的に接続するように構成されている。
【発明の概要】
【発明が解決しようとする課題】
【０００５】
しかしながら、このようなソーラー発電装置では、第２ソーラー部を増設して受光面積を増大させても、第１ソーラー部と第２ソーラー部とを別々に形成して個別に組み付けると共に、第１ソーラー部と第２ソーラー部とを個別に回路基板と電気的に接続しているので、組立作業および接続作業が煩雑で面倒であるばかりか、接続スペースが増大し、装置全体が大型化するなどの問題がある。
【０００６】
この発明が解決しようとする課題は、複数のソーラー部を備えて受光面積を増大させても、組立作業および接続作業の簡素化を図ることができるソーラー発電装置および電子時計を提供することである。
【課題を解決するための手段】
【０００７】
この発明は、複数のソーラーセルが平面的に配列された第１ソーラー部と、複数のソーラーセルが平面的に配列され、前記第１ソーラー部に対して面方向に位置がずれた状態で、前記第１ソーラー部の下側に所定間隔を隔てて配置された第２ソーラー部と、複数のソーラーセルが配列され、少なくとも前記第２ソーラー部の外周に沿って配置された第３ソーラー部と、を備え、前記第１〜第３の各ソーラー部を一体的に連結形成して相互に電気的に接続したことを特徴とするソーラー発電装置である。
【発明の効果】
【０００８】
この発明によれば、第１〜第３の各ソーラー部が一体的に連結形成される箇所を通して第１〜第３の各ソーラー部を相互に電気的に接続することができるので、第１〜第３の各ソーラー部の出力端子を一箇所に集中させることができる。このため、第１〜第３の各ソーラー部を個別に組み付けて個別に接続する必要がなく、一度に組み付けて一度に接続することができるので、複数のソーラー部を備えて受光面積を増大させても、組立作業および接続作業の簡素化を図ることができる。
【図面の簡単な説明】
【０００９】
【図１】この発明を電子腕時計に適用した一実施形態を示した拡大断面図である。
【図２】図１に示された電子腕時計のソーラー発電装置を示した拡大斜視図である。
【図３】図２に示されたソーラー発電装置を示した拡大平面図である。
【図４】図２に示されたソーラー発電装置を展開して示した拡大展開図である。
【図５】図４に示されたソーラー発電装置の変形例を示した拡大展開図である。
【発明を実施するための形態】
【００１０】
以下、図１〜図４を参照して、この発明を電子腕時計に適用した一実施形態について説明する。
この電子腕時計は、図１に示すように、腕時計ケース１を備えている。この腕時計ケース１の上部開口部には、時計ガラス２が装着されており、この腕時計ケース１の下部には、裏蓋３が取り付けられている。
【００１１】
また、この腕時計ケース１の内部には、図１に示すように、時計モジュール４が組み込まれている。この時計モジュール４は、ハウジング５を備えている。このハウジング５内には、時計ムーブメント６が設けられている。また、このハウジング５の上面には下文字板７が配置されている。この下文字板７は、ほぼ半円形状に形成されている。
【００１２】
この下文字板７の上方には、図１に示すように、上文字板８が所定間隔Ｓを隔てて配置される。この上文字板８も、ほぼ半円形状に形成されている。この上文字板８は、下文字板７に対して重なり合わないように位置がずれた状態で配置されている。また、この上文字板８の外周部上には、透明または半透明の光透過性を有する見切り部材９が配置されている。また、このハウジング５の下部には、回路基板１０が基板押え板１１によって設けられている。
【００１３】
時計ムーブメント６は、図１に示すように、指針軸１２を回転させることにより、秒針、分針、時針などの指針１３を運針させて時刻を指示させると共に、表示回転板１４を回転させて情報を表示させるように構成されている。この場合、指針軸１２は、同一軸上に複数の回転軸を有するものである。
【００１４】
すなわち、この指針軸１２は、図１に示すように、下文字板７および上文字板８を通して時計ガラス２の下側に突出し、この突出した上部に秒針、分針、時針などの指針１３が取り付けられている共に、下文字板７と上文字板８との間に位置する中間部に表示回転板１４が取り付けられている。
【００１５】
この表示回転板１４は、図１に示すように、ディスク針であり、光透過性を有する材料によって円板形状に形成され、その中心部が指針軸１２に取り付けられている。この表示回転板１４は、その上面に情報表示部（図示せず）が設けられ、時計ムーブメント６によって回転する指針軸１２と共に下文字板７上を回転するように構成されている。
【００１６】
この場合、上文字板８には、図１に示すように、表示開口部８ａが下文字板７に対応して設けられている。この上文字板８の表示開口部８ａは、ほぼ半円形状に形成されている。これにより、表示回転板１４は、時計ムーブメント６によって回転する指針軸１２と共に回転し、上文字板８の表示開口部８ａを通して情報表示部の一部が上方に露呈するように構成されている。
【００１７】
ところで、この時計モジュール４は、図１に示すように、ソーラー発電装置１５を備えている。このソーラー発電装置１５は、図１および図２に示すように、上文字板８の下面に配置される第１ソーラー部１６と、下文字板７の下面に配置される第２ソーラー部１７と、これら第１、第２の各ソーラー部１６、１７の外周に沿って配置される第３ソーラー部１８とを備えている。
【００１８】
この場合、下文字板７と上文字板８とは、それぞれ透明または半透明の光透過性を有する材料で形成されている。また、下文字板７の外周部には、リング状の立上り部７ａが一体に形成されている。また、第１〜第３の各ソーラー部１６〜１８は、図２〜図４に示すように、それぞれフレキシブルなフィルムで形成されている。
【００１９】
第１ソーラー部１６は、図２〜図４に示すように、ほぼ半円形状に形成され、その上面に複数のソーラーセル２０が平面的に配列されている。第２ソーラー部１７も、ほぼ半円形状に形成され、その上面に複数のソーラーセル２０が平面的に配列されている。この第２ソーラー部１７は、第１ソーラー部１６に対してほとんど重なり合わずに面方向に位置がほぼ１８０度回転してずれた状態で、第１ソーラー部１６の下側に所定間隔Ｓを隔てて配置されている。
【００２０】
第３ソーラー部１８は、図２および図３に示すように、第１ソーラー部１６と第２ソーラー部１７の外周に沿って円形状に湾曲され、この状態で第１ソーラー部１６と第２ソーラー部１７との各外周に沿って配置されるように構成されている。この場合、第３ソーラー部１８は、図４に示すように、第１ソーラー部１６と第２ソーラー部１７との外周に連続して沿う長さで、ほぼ帯状に形成されている。
【００２１】
すなわち、この第３ソーラー部１８は、図４に示すように、第２ソーラー部１７の外周に沿う箇所の上下方向の長さ（幅）が、第１ソーラー部１６と第２ソーラー部１７との上下方向の間隔Ｓよりも広い幅で形成されている。また、この第３ソーラー部１８は、第１ソーラー部１６の外周に沿う箇所の上下方向の長さ（幅）が、第１ソーラー部１６と第２ソーラー部１７との上下方向の間隔Ｓよりも少し狭い幅で形成されている。
【００２２】
このため、この第３ソーラー部１８は、図２および図４に示すように、第２ソーラー部１７の外周に沿う幅広部１８ａと第１ソーラー部１６の外周に沿う幅狭部１８ｂとの境界部に、第１ソーラー部１６と第２ソーラー部１７との上下方向の間隔Ｓに対応する段差部１８ｃが形成された構成になっている。
【００２３】
これにより、第１ソーラー部１６は、図２および図４に示すように、その半円の弦部に隣接する連結部１６ａが、第３ソーラー部１８の段差部１８ｃに位置する幅狭部１８ｂの下辺部（図４では上辺部）に、折り曲げ可能に一体に連結されて形成されている。また、第２ソーラー部１７は、図４に示すように、その半円の弦部に隣接する連結部１７ａが、第３ソーラー部１８の幅広部１８ａの下辺部（図４では上辺部）における一端部（図４では左端部）に折り曲げ可能に一体に連結された状態で形成されている。
【００２４】
この場合、第１ソーラー部１６と第２ソーラー部１７とは、図４に示すように、第２ソーラー部１７における半円の外周の長さに相当する間隔を隔てた状態で、第３ソーラー部の下辺部（図４では上辺部）に互いに並んで配置されている。これにより、第１ソーラー部１６と第２ソーラー部１７とは、図２に示すように、第３ソーラー部１８を第１ソーラー部１６と第２ソーラー部１７との各半円の外周に沿って円形状に湾曲させることにより、第３ソーラー部１８によって囲われるように構成されている。
【００２５】
すなわち、第１ソーラー部１６と第２ソーラー部１７とは、図２に示すように、第３ソーラー部１８によって囲われた際に、第１ソーラー部１６と第２ソーラー部１７とが互いにほとんど重なり合わずに面方向にほぼ１８０度回転して位置がずれた状態で、上下に所定間隔Ｓを隔てて配置されるように構成されている。
【００２６】
この場合、第３ソーラー部１８は、図２に示すように、その上辺部（図４では下辺部）が上側に位置する第１ソーラー部１６の上方に同じ高さで突出するように構成されている。また、第１ソーラー部１６と第２ソーラー部１７とにおける各半円の弦部の中間部には、図２〜図４に示すように、指針軸１２が挿入する半円形の切欠き孔１６ｂ、１７ｂがそれぞれ設けられている。
【００２７】
これにより、第１〜第３の各ソーラー部１６〜１８は、図１に示すように、第１ソーラー部１６が上文字板８の下面に配置され、第２ソーラー部１７が下文字板７の下面に配置され、第３ソーラー部１８の幅広部１８ａが下文字板７の外周の立上り部７ａにおける外周に配置されると共に、第３ソーラー部１８の上辺部が上文字板８の外周を経て見切り部材９の挿入溝９ａ内に挿入された状態で、腕時計ケース１内に配置されるように構成されている。
【００２８】
一方、下側に位置する第２ソーラー部１７の連結部１７ａの近傍には、図２〜図４に示すように、一対の出力端子２３が設けられている。この一対の出力端子２３には、第１〜第３の各ソーラー部１６〜１８のすべてのソーラーセル２０〜２２が電気的に接続されている。すなわち、第１〜第３の各ソーラー部１６〜１８のすべてのソーラーセル２０〜２２は、予め定められた発電量ごとに並列に接続され、この状態で一対の出力端子２３に集約されて接続されている。
【００２９】
また、この出力端子２３は、図１に示すように、一対のコイルばね２４によって回路基板１０と電気的に接続されている。すなわち、この一対のコイルばね２４は、ハウジング５の挿入孔５ａ内に配置され、この状態で一対のコイルばね２４の上端部が一対の出力端子２３に弾接し、一対のコイルばね２４の下端部が回路基板１０上の一対の接続電極（図示せず）に弾接することにより、一対の出力端子２３と回路基板１０上の一対の接続電極とを電気的に接続するように構成されている。
【００３０】
この場合、第１ソーラー部１６には、図２〜図４に示すように、第２ソーラー部１７の出力端子２３の上方に重なるオーバーラップ部２５が設けられている。このオーバーラップ部２５は、第２ソーラー部１７の出力端子２３の上方に位置する第１ソーラー部１６の半円の弦部から出力端子２３の上方に向けて突出して形成されている。これにより、オーバーラップ部２５は、第２ソーラー部１７の出力端子２３が外部から見えないように、出力端子２３を覆い隠すように構成されている。
【００３１】
次に、このソーラー発電装置１５を製作する場合について説明する。
この場合には、予め、１枚のフレキシブルなフィルムの所定箇所にソーラーセル２０〜２２および配線パターン（図示せず）を形成し、このソーラーセル２０〜２２および配線パターンに沿ってフィルムを裁断する。これにより、第１〜第３の各ソーラー部１６〜１８が一体的に連結されて展開された状態で形成される。
【００３２】
この状態では、図４に示すように、第３ソーラー部１８が、第２ソーラー部１７の外周に沿う幅広部１８ａと、第１ソーラー部１６の外周に沿う幅狭部１８ｂと、これらの境界部に位置する段差部１８ｃとが形成されている。また、第２ソーラー部１７は、図４に示すように、その半円の弦部に隣接する箇所の連結部１７ａが、第３ソーラー部１８の幅広部１８ａの下辺部（図４では上辺部）における一端部（図４では左端部）に折り曲げ可能に一体に連結された状態で形成されている。
【００３３】
また、第１ソーラー部１６は、その半円の弦部に隣接する箇所の連結部１６ａが、第３ソーラー部１８の段差部１８ｃに位置する幅狭部１８ｂの下辺部（図４では上辺部）に、折り曲げ可能に一体に連結されて形成されている。この場合、第１ソーラー部１６と第２ソーラー部１７とは、図４に示すように、第２ソーラー部１７における半円の外周の長さに相当する間隔を隔てた状態で、第３ソーラー部１８の下辺部に互いに並んで配置されている。
【００３４】
この状態で、第１ソーラー部１６をその連結部１６ａで第３ソーラー部１８に対してほぼ直角に折り曲げると共に、第２ソーラー部１７をその連結部１７ａで第１ソーラー部１６と同じ方向に向けて第３ソーラー部１８に対してほぼ直角に折り曲げる。この後、図２に示すように、第３ソーラー部１８を第１ソーラー部１６と第２ソーラー部１７との各半円の外周に沿って円形状に湾曲させる。これにより、第３ソーラー部１８によって第１ソーラー部１６と第２ソーラー部１７とが囲われる。
【００３５】
このときには、第１ソーラー部１６と第２ソーラー部１７とは、図２に示すように、互いにほとんど重なり合わずに面方向にほぼ１８０度回転して位置がずれた状態で、上下に所定間隔Ｓを隔てて配置される。また、このときには、第３ソーラー部１８の幅広部１８ａの上辺部（図４では下辺部）と第３ソーラー部１８の幅狭部１８ｂの上辺部とが第１ソーラー部１６の上方に同じ高さで突出する。これにより、ソーラー発電装置１５が立体的に形成される。
【００３６】
次に、この立体的なソーラー発電装置１５を腕時計ケース１に組み込む場合について説明する。
この場合には、まず、第２ソーラー部１７上に下文字板７を配置し、この下文字板７の立上り部７ａの外周に第３ソーラー部１８の幅広部１８ａを配置する。また、第１ソーラー部１６上に上文字板８を配置すると共に、この上文字板８を下文字板７の立上り部７ａ上に配置する。この状態で、ソーラー発電装置１５を腕時計ケース１内に組み込む。
【００３７】
このときには、予め、ハウジング５内に時計ムーブメント６を組み付けると共に、ハウジング５の下面に回路基板１０を基板押え板１１によって取り付ける。そして、ハウジング５の挿入孔５ａにコイルばね２４を挿入して回路基板１０の接続電極（図示せず）上に配置した後、ハウジング５上にソーラー発電装置１５を配置する。このときには、下文字板７と第１ソーラー部１６との間に表示回転板１４を配置すると共に、第２ソーラー部１７の一対の出力端子２３をコイルばね２４に対応させる。
【００３８】
この状態で、指針軸１２を下文字板７の挿入孔（図示せず）、第２ソーラー部１７の切欠き孔１７ｂ、表示回転板１４の挿入孔（図示せず）、第１ソーラー部１６の切欠き孔１６ｂ、および上文字板８の挿入孔（図示せず）に挿入させて、指針軸１２の上部を上文字板８の上方に突出させる。そして、表示回転板１４を指針軸１２の中間部に取り付けると共に、指針軸１２の上部に秒針、分針、時針などの指針１３を取り付ける。
【００３９】
この状態で、ハウジング５と共にソーラー発電装置１５を腕時計ケース１内に組み込み、上文字板８の外周から上方に突出した第３ソーラー部１８の上辺部を腕時計ケース１内に組み付けられた見切り部材９の挿入溝９ａ内に挿入させる。これにより、第２ソーラー部１７の一対の出力端子２３がコイルばね２４によって回路基板１０と電気的に接続された状態で、ソーラー発電装置１５が腕時計ケース１内に組み付けられる。
【００４０】
次に、このような電子腕時計の作用について説明する。
この電子腕時計は、通常は、時計ムーブメント６によって指針軸１２が回転され、これに伴って秒針、分針、時針などの指針１３が上文字板８の上方を運針して時刻を指示する。また、このときには、時計ムーブメント６による指針軸１２の回転によって表示回転板１４が下文字板７と上文字板８との間で回転して、この表示回転板１４の上面に設けられた情報表示部の一部が、上文字板８の表示開口部８ａを通して露呈し、情報を表示する。
【００４１】
この状態では、時計ガラス２を通して外部光が腕時計ケース１内に入射し、この入射した外部光によってソーラー発電装置１５が発電する。すなわち、腕時計ケース１内に入射した外部光のうち、上文字板８に照射された光は、この上文字板８を透過して第１ソーラー部１６に照射され、この照射された光によって第１ソーラー部１６のソーラーセル２０が発電する。同様に、上文字板８の表示開口部８ａを透過した光は、下文字板７に照射され、この照射された光が下文字板７を透過して第２ソーラー部１７に照射され、この照射された光によって第２ソーラー部１７のソーラーセル２１が発電する。
【００４２】
また、見切り部材７に照射された光は、この見切り部材７を透過して第３ソーラー部１８における第１ソーラー部１６の上方に突出した上辺部側に照射される。このときには、上文字板８の表示開口部８ａを透過した光が下文字板７の周囲に位置する立上り部７ａに照射され、この照射された光が下文字板７の立上り部７ａを透過して第３ソーラー部１８の幅広部１８ａの下辺部側にも照射される。これにより、第３ソーラー部１８のソーラーセル２２が発電する。
【００４３】
このように、下文字板７と上文字板８との高さが異なり、且つこの下文字板７と上文字板８との間に表示回転板１４が配置されていても、第１〜第３の各ソーラー部１６〜１８によって受光面積が確保され、この第１〜第３の各ソーラー部１６〜１８の各ソーラーセル２０〜２２によって十分に発電することができる。そして、発電した電力は、第２ソーラー部１７の一対の出力端子２３から一対のコイルばね２４を介して回路基板１０に送られ、この回路基板１０のコンデンサなどの電源部（図示せず）に電源として一時蓄えられ、この蓄えられた電力によって時計ムーブメント６を駆動する。
【００４４】
このように、この電子腕時計のソーラー発電装置１５によれば、複数のソーラーセル２０が平面的に配列された第１ソーラー部１６と、複数のソーラーセル２１が平面的に配列され、第１ソーラー部１６に対してほとんど重なり合わずに面方向に位置がずれた状態で、第１ソーラー部１６の下側に所定間隔Ｓを隔てて配置された第２ソーラー部１７と、複数のソーラーセル２２が配列され、第１ソーラー部１６および第２ソーラー部１７の外周に沿って配置された第３ソーラー部１８と、を備え、これら第１〜第３の各ソーラー部１６〜１８を一体的に連結形成して相互に電気的に接続したので、複数のソーラー部１６〜１８を備えて受光面積を増大させても、組立作業および接続作業の簡素化を図ることができる。
【００４５】
すなわち、このソーラー発電装置１５では、第１〜第３の各ソーラー部１６〜１８が一体的に連結形成されていることにより、この各連結部分、つまり第３ソーラー部１８に対する第１、第２の各ソーラー部１６、１７の各連結部１６ａ、１７ａを通して第１〜第３の各ソーラー部１６〜１８を相互に電気的に接続することができ、これにより第１〜第３の各ソーラー部１６〜１８の出力端子２３を一箇所に集中させることができる。
【００４６】
このため、第１〜第３の各ソーラー部１６〜１８をそれぞれ個別に腕時計ケース１内に組み付けて、第１〜第３の各ソーラー部１６〜１８をそれぞれ個別に回路基板１０に接続する必要がなく、一度に組み付けて一度に接続することができるので、複数のソーラー部１６〜１８を備えて受光面積を増大させても、組立作業および接続作業の簡素化を図ることができる。
【００４７】
これにより、接続スペースを最小限に抑えて、装置全体をコンパクトに構成することができるほか、第１、第２の各ソーラー部１６、１７の高さが異なっていることにより、下文字板７と上文字板８との高さが異なっていても、第１〜第３の各ソーラー部１６〜１８を良好に配置することができると共に、受光面積を確保することができるので、発電量を十分に確保することができる。
【００４８】
この場合、第１〜第３の各ソーラー部１６〜１８はそれぞれフレキシブルなフィルムからなり、第３ソーラー部１８は第１ソーラー部１６と第２ソーラー部１７との上下の所定間隔Ｓに対応する段差部１８ｃを有するほぼ帯状に形成され、第１ソーラー部１６はその外周部の連結部１６ａが第３ソーラー部１８の長手方向に沿う下辺部の段差部１８ｃに折り曲げ可能に一体に連結形成され、第２ソーラー部１７はその外周部の連結部１７ａが第３ソーラー部１８の下辺部における第１ソーラー部１６から所定長さ離れた箇所に折り曲げ可能に一体に連結形成されていることにより、第１〜第３の各ソーラー部１６〜１８を一度に簡単に製作することができる。
【００４９】
すなわち、第１ソーラー部１６の外周部の連結部１６ａを第３ソーラー部１８の長手方向に沿う下辺部の段差部１８ｃに連結形成し、第２ソーラー部１７の外周部の連結部１７ａを、第１ソーラー部１６から所定長さ、つまり第２ソーラー部１７の半円の外周に対応する長さ離れた箇所に位置する第３ソーラー部１８の下辺部に連結形成した状態で、１枚のフィルムで第１〜第３の各ソーラー部１６〜１８を一体に連結形成することができる。
【００５０】
このため、第３ソーラー部１８に連結された第１ソーラー部１６の連結部１６ａにおいて、第１ソーラー部１６を第３ソーラー部１８に対してほぼ直角に折り曲げると共に、第３ソーラー部１８に連結された第２ソーラー部１７の連結部１７ａにおいて、第２ソーラー部１７を第１ソーラー部１６と同じ方向に向けて第３ソーラー部１８に対しほぼ直角に折り曲げ、この状態で第３ソーラー部１８を第１、第２の各ソーラー部１６、１７の外周に沿って円形状に湾曲させるだけで、簡単に且つ容易にソーラー発電装置１５を立体的に形成することができる。
【００５１】
また、このソーラー発電装置１５では、第３ソーラー部１８に連結される第２ソーラー部１７の連結部１７ａに位置する第２ソーラー部１７の外周部の付近に、第１〜第３の各ソーラー部１６〜１８におけるすべてのソーラーセル２０〜２２が電気的に接続される出力端子２３が設けられているので、すべてのソーラーセル２０〜２２で発電した電力を一箇所の出力端子２３に集中させることができると共に、この出力端子２３をコイルばね２４によって回路基板１０に一括して接続することができるので、接続作業が簡単にでき、接続作業を大幅に簡素化することができる。
【００５２】
この場合、第１ソーラー部１６には、第２ソーラー部１７の出力端子２３の上方に重なるオーバーラップ部２５が設けられていることにより、このオーバーラップ部２５によって第２ソーラー部１７の出力端子２３が外部から見えないように、出力端子２３を覆い隠すことができるので、外観的にもデザイン的に好ましいものを提供することができる。
【００５３】
また、このソーラー発電装置１５では、第１〜第３の各ソーラー部１６〜１８における各ソーラーセル２０〜２２が、予め定められた発電量ごとに並列に接続されていることにより、ほぼ均一な電力を安定して発電することができるので、効率良く発電して安定して蓄えることができると共に、良好に電力を供給することができる。
【００５４】
この場合、第３ソーラー部１８は、第２ソーラー部１７の外周に沿う箇所が幅広部１８ａに形成され、第１ソーラー部１６の外周に沿う箇所が幅狭部１８ｂに形成され、この幅狭部１８ｂの上辺部とこの上辺部に連続する幅広部１８ａの上辺部とが第１ソーラー部１６の上方に突出するように構成されていることにより、第３ソーラー部１８の受光面積を広くすることができ、これにより発電量を更に増大させることができる。
【００５５】
なお、上述した実施形態では、第３ソーラー部１８の上辺部が第１ソーラー部１６の上方に突出するように形成した場合について述べたが、必ずしも第３ソーラー部１８を第１ソーラー部１６の上方に突出させる必要はなく、例えば図５に示す変形例のように、第３ソーラー部２８を第２ソーラー部１７の外周に位置する箇所のみに、第１、第２のソーラー部１６、１７の上下の間隔Ｓの幅で設けた構成であっても良い。
【００５６】
また、上述した実施形態では、第１ソーラー部１６と第２ソーラー部１７とをそれぞれほぼ半円形状に形成した場合について述べたが、必ずしも半円形状に形成する必要はなく、例えば六角形、八角形などの多角形を半分にした形状であっても良く、また楕円を半分した形状であっても良い。
【００５７】
また、上述した実施形態では、第２ソーラー部１７に設けられた出力端子２３と回路基板１０とをコイルばね２４によって電気的に接続した場合について述べたが、必ずしもコイルばね２４で接続する必要はなく、例えばインターコネクタなどの接続部材で電気的に接続するように構成しても良い。
【００５８】
さらに、上述した実施形態では、電子腕時計に適用した場合について述べたが、必ずしも電子腕時計である必要はなく、例えばトラベルウオッチ、目覚まし時計、置き時計、掛け時計などの各種の電子時計に適用することができる。
【００５９】
以上、この発明の一実施形態および変形例について説明したが、この発明は、これらに限られるものではなく、特許請求の範囲に記載された発明とその均等の範囲を含むものである。
以下に、本願の特許請求の範囲に記載された発明を付記する。
【００６０】
（付記）
請求項１に記載の発明は、複数のソーラーセルが平面的に配列された第１ソーラー部と、複数のソーラーセルが平面的に配列され、前記第１ソーラー部に対して面方向に位置がずれた状態で、前記第１ソーラー部の下側に所定間隔を隔てて配置された第２ソーラー部と、複数のソーラーセルが配列され、少なくとも前記第２ソーラー部の外周に沿って配置された第３ソーラー部と、を備え、
前記第１〜第３の各ソーラー部を一体的に連結形成して相互に電気的に接続したことを特徴とするソーラー発電装置である。
【００６１】
請求項２に記載の発明は、請求項１に記載のソーラー発電装置において、前記第１〜第３の各ソーラー部はそれぞれフレキシブルなフィルムからなり、前記第３ソーラー部は、前記第１ソーラー部と前記第２ソーラー部との上下方向における前記所定間隔に対応する段差部を有するほぼ帯状に形成されており、前記第１ソーラー部は、その外周部の一部が前記第３ソーラー部の長手方向に沿う辺部の前記段差部に折り曲げ可能に一体に連結形成されており、前記第２ソーラー部は、その外周部の一部が、前記第３ソーラー部の前記辺部における前記第１ソーラー部から所定長さ離れた箇所に折り曲げ可能に一体に連結形成されていることを特徴とするソーラー発電装置である。
【００６２】
請求項３に記載の発明は、請求項１または請求項２に記載のソーラー発電装置において、前記第３ソーラー部に連結される箇所に位置する前記第２ソーラー部の外周部における一部には、前記第１〜第３の各ソーラー部におけるすべての前記ソーラーセルが電気的に接続される出力端子が設けられていることを特徴とするソーラー発電装置である。
【００６３】
請求項４に記載の発明は、請求項３に記載のソーラー発電装置において、前記第１ソーラー部には、前記第２ソーラー部の前記出力端子の上方に重なるオーバーラップ部が設けられていることを特徴とするソーラー発電装置である。
【００６４】
請求項５に記載の発明は、請求項１〜請求項４のいずれに記載のソーラー発電装置において、前記第１〜第３の各ソーラー部における各ソーラーセルは、予め定められた発電量ごとに並列に接続されていることを特徴とするソーラー発電装置である。
【００６５】
請求項６に記載の発明は、請求項１〜請求項５のいずれに記載のソーラー発電装置において、前記第３ソーラー部は、前記第２ソーラー部の外周に沿う箇所が幅広部に形成され、前記第１ソーラー部の外周に沿う箇所が幅狭部に形成され、この幅狭部の一辺部とこの一辺部に連続する幅広部の一辺部とが前記第１ソーラー部の上方に突出していることを特徴とするソーラー発電装置である。
【００６６】
請求項７に記載の発明は、請求項１に記載されたソーラー発電装置を備えていることを特徴とする電子時計である。
【符号の説明】
【００６７】
１  腕時計ケース
４  時計モジュール
６  時計ムーブメント
７  下文字板
８  上文字板
８ａ  表示開口部
９  見切り部材
９ａ  挿入溝
１０  回路基板
１５  ソーラー発電装置
１６  第１ソーラー部
１６ａ  連結部
１７  第２ソーラー部  
１７ａ  連結部
１８、２８  第３ソーラー部
１８ａ  幅広部
１８ｂ  幅狭部
１８ｃ  段差部
２０〜２２  ソーラーセル
２３  出力端子
２４  コイルばね
２５  オーバーラップ部
【図１】
2013195269.tif 000003
【図２】
2013195269.tif 000004
【図３】
2013195269.tif 000005
【図４】
2013195269.tif 000006
【図５】
2013195269.tif 000007